(57)【要約】      （修正有）【課題】小型オゾン生成モジュール構造を提供する。【解決手段】本考案の小型オゾン生成モジュール構造１は、オゾン生成器の回路板素子を絶縁ケーシング１０内に配置し、電源導線１６をケーシング外に延伸させ、また、絶縁ケーシング１０内に樹脂層１７を灌入して、回路板１１を包覆し、好ましい絶縁、隔熱効果を得る。更に、尖端放電のオゾン生成方式が必要とする電極鋭針１３、及び相反する電極の電極孔銅板素子、或いは、紫外線ランプのオゾン生成方式が必要とする紫外線ランプ素子を、樹脂層外部まで延伸させ、ケーシング外部でオゾンを発生させ、外に発散することにより、オゾン生成器は小型化、且つ、モジュール化の要求に符合し、オゾン使用の応用範囲を増加する。【選択図】図３
0003103096.tif 000002
【実用新案登録請求の範囲】
【請求項１】
小型オゾン生成モジュール構造であって、
一面に、開放面を形成するケーシングと、
前記ケーシング内の底部に近い場所に設置され、オゾン生成器の作用回路で、且つ、その上に変圧器を備え、電源入力の低電圧を高電圧低電流に転換する回路板と、
それぞれ、前記回路板の回路に連接され、共に、前記ケーシングの開放面辺縁に位置する数本の電極鋭針、及び、電極が前記電極鋭針と相反し、前記電極鋭針の尖端が、中央に対応しているホールを有し、尖端放電方式でオゾンを生成する仕組みの電極孔銅板と、
電源を外接する二つの正負導線と、
前記ケーシング内に灌入され、前記回路板を被覆し、その上位線が負極の孔銅板下方に位置し、前記電極鋭針の尖端と前記電極孔銅板をその外部に配置している絶縁樹脂層と、
からなり、
前記構造により、オゾン生成器はその容積を縮小でき、小型化、且つ、モジュール化を達成することを特徴とする小型オゾン生成モジュール構造。
【請求項２】
前記樹脂層はエポキシ樹脂であることを特徴とする請求項１に記載の小型オゾン生成モジュール構造。
【請求項３】
前記ケーシングは直方体であることを特徴とする請求項１に記載の小型オゾン生成モジュール構造。
【請求項４】
前記ケーシングの外部尺寸は、４３ｍｍ（L）×１８ｍｍ（W）×１１．５ｍｍ（H）、或いは、それ以内であることを特徴とする請求項３に記載の小型オゾン生成モジュール構造。
【請求項５】
前記二つの外接電源の正負導線の入力電源は、５〜１２ボルトであることを特徴とする請求項１に記載の構造。
【請求項６】
小型オゾン生成モジュール構造であって、
一面に、開放面を形成するケーシングと、
前記ケーシング内の底部に近い場所に設置され、オゾン生成器の作用回路で、且つ、その上に変圧器を備え、電源入力の低電圧を高電圧低電流に転換する回路板と、
数本の電極鋭針と、電極が前記電極鋭針と相反し、前記電極鋭針の尖端が、中央に対応しているホールを有し、尖端放電方式でオゾンを生成する仕組みの電極孔銅板とからなる結合体と、
前記回路板のケーシングから延伸すると共に、前記結合体に連接される二つの正負導線と、
電源を外接する二つの正負導線と、
前記ケーシング内に灌入され、前記回路板を被覆する絶縁樹脂層と、
からなり、
前記構造により、オゾン生成器はその容積を縮小でき、小型化、且つ、モジュール化を達成することを特徴とする小型オゾン生成モジュール構造。  
【請求項７】
前記樹脂層はエポキシ樹脂であることを特徴とする請求項６に記載の小型オゾン生成モジュール構造。
【請求項８】
前記ケーシングは直方体であることを特徴とする請求項６に記載の小型オゾン生成モジュール構造。
【請求項９】
前記ケーシングの外部尺寸は、４３ｍｍ（L）×１８ｍｍ（W）×１１．５ｍｍ（H）、或いは、それ以内であることを特徴とする請求項８に記載の小型オゾン生成モジュール構造。
【請求項１０】
前記二つの外接電源の正負導線の入力電源は、５〜１２ボルトであることを特徴とする請求項６に記載の小型オゾン生成モジュール構造。
【請求項１１】
小型オゾン生成モジュール構造であって、
一面に、開放面を形成するケーシングと、
前記ケーシング内の底部に近い場所に設置され、オゾン生成器の作用回路で、且つ、その上に変圧器を備え、電源入力の低電圧を高電圧低電流に転換する回路板と、
前記回路板のケーシングから延伸すると共に、紫外線ランプに連接され、紫外線ランプの方式でオゾンを生成する二つの正負導線と、
前記ケーシング内に灌入され、前記回路板を被覆する絶縁樹脂層と、
からなり、
前記構造により、オゾン生成器はその容積を縮小でき、小型化、且つ、モジュール化を達成することを特徴とする小型オゾン生成モジュール構造。
【請求項１２】
前記樹脂層はエポキシ樹脂であることを特徴とする請求項１１に記載の小型オゾン生成モジュール構造。
【請求項１３】
前記ケーシングは直方体であることを特徴とする請求項１１に記載の小型オゾン生成モジュール構造。
【請求項１４】
前記ケーシングの外部尺寸は、５０ｍｍ（L）×２５ｍｍ（W）×２０ｍｍ（H）、或いは、それ以内であることを特徴とする請求項１３に記載の小型オゾン生成モジュール構造。
【請求項１５】
前記二つの外接電源の正負導線の入力電源は、５〜１２ボルトであることを特徴とする請求項１１に記載の小型オゾン生成モジュール構造。
【考案の詳細な説明】
【技術分野】
【０００１】
本考案は、小型オゾン生成モジュール構造に関するものであって、特に、オゾン生成器の回路板素子を絶縁ケーシング内に配置し、ケーシング内に樹脂層を灌入して、回路板を包覆し、オゾンを樹脂層外部で生じさせ、オゾン生成器は小型化、且つ、モジュール化して、オゾンの使用が応用範囲を増加し、使用設計上の簡易性を向上できるようにしたものである。
【背景技術】
【０００２】
オゾンは殺菌、消毒、或いは、空気洗浄等の多様な効果を有し、多種に汎用されている。例えば、空気洗浄器に応用され、オゾンの高度酸化特性により、空気中の有毒気体を除去する。或いは、飲水器や、靴箱等に使用され、消毒や除臭の効果をもたらす。或いは、オゾンを水に溶解させ、オゾン水により、果物や野菜の洗浄を施し、効果的に残留農薬を除去する。現在、市場でよく見られる個人化用品、特に、PDA、携帯電話、マウスやキーボード等のコンピュータ入力装置などの電子製品は、軽、薄、短小の趨勢にあり、消費者個人の便宜性を向上させている。しかし、現在使用されているオゾン生成器は、その構造の体積が大きく、構造が複雑で、大きい構造はオゾンの効率的な生成に秀でているが、オゾンを個人化用品に応用する機会を逃している。異なる領域の商品は、効果的に、オゾンとの結合使用がされ難く、オゾンの殺菌、消毒、或いは空気洗浄等の使用功能を兼ね備えることが出来ない。よって、本考案は、オゾン生成器の小型化、モジュール化の需要に対し設計を施したものである。
【特許文献１】特開平０７−０４１３０４
【考案の開示】
【考案が解決しようとする課題】
【０００３】
本考案は、小型オゾン生成モジュール構造を提供することを目的とし、オゾン生成器の構造に対し、小型化、並びにモジュール化を達成して、オゾンの応用範囲を増加させると共に、結合使用の簡易性を向上させるものである。
【課題を解決するための手段】
【０００４】
本考案の小型オゾン生成モジュール構造は、オゾン生成器の回路板素子を絶縁ケーシング内に配置し、電源導線をケーシング外に延伸させ、また、絶縁ケーシング内に樹脂層を灌入して、回路板を包覆し、好ましい絶縁、隔熱効果を得る。更に、尖端放電のオゾン生成方式が必要とする電極鋭針、及び相反する電極の電極孔銅板素子、或いは、紫外線ランプのオゾン生成方式が必要とする紫外線ランプ素子を、樹脂層外部まで延伸させ、ケーシング外部でオゾンを発生させ、外に発散することにより、オゾン生成器は小型化、且つ、モジュール化の要求に符合し、オゾン使用の応用範囲を増加する。
すなわち、請求項１に記載の小型オゾン生成モジュール構造は、
一面に、開放面を形成するケーシングと、
前記ケーシング内の底部に近い場所に設置され、オゾン生成器の作用回路で、且つ、その上に変圧器を備え、電源入力の低電圧を高電圧低電流に転換する回路板と、
それぞれ、前記回路板の回路に連接され、共に、前記ケーシングの開放面辺縁に位置する数本の電極鋭針、及び、電極が前記電極鋭針と相反し、前記電極鋭針の尖端が、中央に対応しているホールを有し、尖端放電方式でオゾンを生成する仕組みの電極孔銅板と、
電源を外接する二つの正負導線と、
前記ケーシング内に灌入され、前記回路板を被覆し、その上位線が負極の孔銅板下方に位置し、前記電極鋭針の尖端と前記電極孔銅板をその外部に配置している絶縁樹脂層と、
からなり、
前記構造により、オゾン生成器はその容積を縮小でき、小型化、且つ、モジュール化を達成することを特徴とする構造。
請求項２に記載するように、前記樹脂層はエポキシ樹脂であることを特徴とする。
請求項３に記載するように、前記ケーシングは直方体であることを特徴とする。
請求項４に記載するように、前記ケーシングの外部尺寸は、４３ｍｍ（L）×１８ｍｍ（W）×１１．５ｍｍ（H）、或いは、それ以内であることを特徴とする。
請求項５に記載するように、前記二つの外接電源の正負導線の入力電源は、５〜１２ボルトであることを特徴とする。
請求項６に記載するように、小型オゾン生成モジュール構造であって、
一面に、開放面を形成するケーシングと、
前記ケーシング内の底部に近い場所に設置され、オゾン生成器の作用回路で、且つ、その上に変圧器を備え、電源入力の低電圧を高電圧低電流に転換する回路板と、
数本の電極鋭針と、電極が前記電極鋭針と相反し、前記電極鋭針の尖端が、中央に対応しているホールを有し、尖端放電方式でオゾンを生成する仕組みの電極孔銅板とからなる結合体と、
前記回路板のケーシングから延伸すると共に、前記結合体に連接される二つの正負導線と、
電源を外接する二つの正負導線と、
前記ケーシング内に灌入され、前記回路板を被覆する絶縁樹脂層と、
からなり、
前記構造により、オゾン生成器はその容積を縮小でき、小型化、且つ、モジュール化を達成することを特徴とする。  
請求項７に記載するように、前記樹脂層はエポキシ樹脂であることを特徴とする。
請求項８に記載するように、前記ケーシングは直方体であることを特徴とする。
請求項９に記載するように、前記ケーシングの外部尺寸は、４３ｍｍ（L）×１８ｍｍ（W）×１１．５ｍｍ（H）、或いは、それ以内であることを特徴とする。
請求項１０に記載するように、前記二つの外接電源の正負導線の入力電源は、５〜１２ボルトであることを特徴とする。
請求項１１に記載するように、小型オゾン生成モジュール構造であって、
一面に、開放面を形成するケーシングと、
前記ケーシング内の底部に近い場所に設置され、オゾン生成器の作用回路で、且つ、その上に変圧器を備え、電源入力の低電圧を高電圧低電流に転換する回路板と、
前記回路板のケーシングから延伸すると共に、紫外線ランプに連接され、紫外線ランプの方式でオゾンを生成する二つの正負導線と、
前記ケーシング内に灌入され、前記回路板を被覆する絶縁樹脂層と、
からなり、
前記構造により、オゾン生成器はその容積を縮小でき、小型化、且つ、モジュール化を達成することを特徴とする。
請求項１２に記載するように、前記樹脂層はエポキシ樹脂であることを特徴とする。
請求項１３に記載するように、前記ケーシングは直方体であることを特徴とする。
請求項１４に記載するように、前記ケーシングの外部尺寸は、５０ｍｍ（L）×２５ｍｍ（W）×２０ｍｍ（H）、或いは、それ以内であることを特徴とする。
請求項１５に記載するように、前記二つの外接電源の正負導線の入力電源は、５〜１２ボルトであることを特徴とする。
【考案の効果】
【０００５】
オゾン生成器は小型化、且つ、モジュール化の要求に符合し、オゾン使用の応用範囲を増加する。
【考案を実施するための最良の形態】
【０００６】
図１、図２、図３、図４で示されるように、本考案の小型オゾン生成モジュール１は、絶縁ケーシング１０からなり、ケーシング１０の形状は限定されず、直方体、立方体、円柱体等、多種に設計できる。図１で示されるのは、直方体で、ケーシング１０の外部尺寸は、少なくとも、４３ｍｍ（L）×１８ｍｍ（W）×１１．５ｍｍ（H）、或いは、それ以内で、ケーシング１０は長方形面に開口を形成している。また、ケーシング１０の底部に近い部分に回路板１１を備え、回路板１１上に小型変圧器１２を設け、電源入力の低電圧を高電圧低電流に転換する。回路板１１の上方に、数本の電極鋭針１３及び電極鋭針１３と相反する電極の電極孔銅板１４を連接し、電極鋭針１３及び電極孔銅板１４は、ケーシング１０の長方形面の開口辺縁に位置する。電極孔銅板１４上に、各電極鋭針１３に対応して、ホール１５を備え、各ホール１５の中心は電極鋭針１３の尖端である。回路板１１は一端から、正負導線１６が延出して、電源を外接する。例えば、有線マウスの使用時、直接、マウスのUSBヘッド中の電源線と連接し、且つ、正負導線１６の入力電源は５〜１２ボルトの範囲内に制御される。一般のマウス電源は５ボルトで、一般車両の電源は１２ボルトである。５〜１２ボルトの入力電源は、オゾン生成器起動させて、オゾンを発生させる。また、絶縁ケーシング１０内部にエポキシなどの絶縁樹脂層１７を灌入して、回路板１１を包覆し、好ましい絶縁、隔熱効果を得る。樹脂層１７の上位線は、電極孔銅板１４の下方に位置し、電極鋭針１３の尖端及び電極孔銅板１４は、樹脂層１７の外部に延伸し、ケーシング１０外部でオゾンを生成する。使用時、電極鋭針１３は高電圧を受けて、尖端放電を生じ、相反する電極の電極孔銅板１４上のホール１５間にブレインストーム現象が生じ、近隣の空気にイオン化現象が生じ、空気中の酸素分子に陰イオンを帯びさせて、オゾンを生成させる。図４で示されるような回路の尖端放電作用により、マイナスイオンを生成し、人体に有益なマイナスイオン効果をもたらす。
【０００７】
上述の構造により、オゾン生成器の主要素子は、回路板１１、電極鋭針１３及び電極孔銅板１４は、単一のケーシング１０内に配置されると共に、樹脂層１７により絶縁、及び隔熱され、オゾン生成モジュール１を形成すると共に、効果的に、オゾン生成モジュール１の容積を縮小することが出来、故に、本考案の小型オゾン生成モジュール１は、その他の素子と結合使用が容易で、オゾン生成器の応用範囲が増加する。
図５、図６、及び図７を参照すると、本考案のもう一つのオゾン生成モジュール２は、絶縁ケーシング２０からなり、ケーシング２０の形状は限定されず、多種に設計できる。図５で示されるのは、直方体で、ケーシング２０の外部尺寸は、少なくとも、４３ｍｍ（L）×１８ｍｍ（W）×１１．５ｍｍ（H）、或いは、それ以内で、ケーシング２０は長方形面に開口を形成している。また、ケーシング２０の底部に近い部分に回路板２１を備え、回路板２１上に小型変圧器２２を設け、電源入力の低電圧を高電圧低電流に転換する。回路板２１から、二つの負極導線２８を連接し、負極導線末端２８は、それぞれ、一組の数本の電極鋭針２３及び電極孔銅板２４からなる結合体２９上を連接し、電極鋭針２３及び電極孔銅板２４の電極は相反し、電極孔銅板２４上に、各電極鋭針２３に対応して、ホール２５を備え、各ホール２５の中心は電極鋭針２３の尖端である。オゾン生成モジュール１と２の相違点は、オゾン生成モジュール１の電極鋭針１３及び電極孔銅板１４は、ケーシング１０の開口辺縁に固設されているのに対し、オゾン生成モジュール２の電極鋭針２３及び電極孔銅板２４は対応して、結合体２９を構成して、導線２８の延伸作用により、結合体２９が装着位置を変更し、オゾン生成モジュール２とその他の素子が結合する設計の時、オゾン生成位置（即ち、結合体２９の位置）の空間方位を選択できることである。また、回路板２１から、二つの負極導線２６が接出し、電源を外接している。例えば、有線マウスに使用する時、直接、マウスのUSBヘッド中の電源線と連接し、且つ、正負導線２６の入力電源は５〜１２ボルトの範囲に制限され、オゾン生成器を起動して、オゾンを生成する。また、絶縁ケーシング２０内部にエポキシなどの樹脂層２７を灌入して、回路板２１を包覆し、好ましい絶縁、隔熱効果を得る。使用時、結合体２９中の電極鋭針２３は高電圧を受けて、尖端放電を生成し、電極孔銅板２４上のホール２５の相反する電極間で、ブレインストーム現象が生じ、近隣の空気にイオン化現象が生じ、空気中の酸素分子に陰イオンを帯びさせて、オゾンを生成させる。上述の構造により、オゾン生成モジュール２全体の容積を縮小することが出来、その他の素子と結合使用が容易になり、オゾン生成器の応用範囲が増加する。オゾン生成モジュール２は、図４で示されるような回路の尖端放電作用により、マイナスイオンを生成し、人体に有益なマイナスイオン効果をもたらす。
【０００８】
図８、図９、図１０、及び図１１で示されるように、オゾン生成モジュール３は、紫外線ランプにより構成されるオゾン生成器で、その構造は、絶縁ケーシング３０からなり、ケーシング３０の形状は限定されず、多種に設計できる。図８で示されるのは、直方体で、ケーシング３０の外部尺寸は、少なくとも、５０ｍｍ（L）×２５ｍｍ（W）×２０ｍｍ（H）、或いは、それ以内で、ケーシング３０は長方形面に開口を形成している。また、回路板３１がケーシング３０の底部に近い部分に設置され、回路板３１上に、小型変圧器３２を設け、マウス本来の低電圧を高電圧低電流に転換する。回路板３１から、二つの負極導線３３が延伸して紫外線ランプ３４を連接し、回路板３１のもう一方から、二つの負極導線３５が接出して電源を外接し、例えば、無線マウスの受信器上に使用する時、直接、受信器のUSBヘッド中の電源線と連接し、且つ、正負導線３５の入力電源は５〜１２ボルトの範囲に制限され、オゾン生成器を起動して、オゾンを生成する。また、絶縁ケーシング３０内部に、エポキシなどの樹脂層３６を灌入して、回路板３１を包覆し、好ましい絶縁、隔熱効果を得る。上述の構造により、オゾン生成モジュール３の容積を縮小することが出来、無線マウスの受信器、或いは、充電台座のハウジング内への装着が容易である。使用時、紫外線ランプ３４内で高圧電極が放電する時、紫外線ランプ３４外環部は、継続してオゾンを生成し、この時、受信器内に、小型のファンを増設して、紫外線ランプ３４に吹風し、効果的に、オゾンを増加させる。上述の構造により、オゾン生成モジュール３全体の容積を縮小することが出来、無線マウスの受信器、或いは、充電台座などのほかの素子と結合使用が容易になり、オゾン生成器の応用範囲が増加する。オゾン生成モジュール３の構造により、紫外線ランプ３４をセラミックランプに変更し、セラミック放電によるオゾン生成方式でも、オゾン生成モジュール３の使用功能が達成できる。
【０００９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１０】
【図１】本考案の第一実施例による立体図である。
【図２】図１の上視図である。
【図３】図１の側視図である。
【図４】図１の回路図である。
【図５】本考案の第二実施例による立体図である。
【図６】図５の上視図である。
【図７】図５の側視図である。
【図８】本考案の第三実施例による立体図である。
【図９】図６の側視図である。
【図１０】図６の上視図である。
【図１１】図６のオゾン生成モジュールの回路図である。
【符号の説明】
【００１１】
１、２、３…オゾン生成モジュール
１０、２０、３０…ケーシング
１１、２１、３１…回路板
１２、２１、３２、…変圧器
１３、２３…電極鋭針
１４、２４…電極孔銅板
１５、２５…ホール
１６、２６、２８、３３、３５…導線
１７、２７、３６…樹脂層
２９…結合体
３４…紫外線ランプ
【図１】
0003103096.tif 000003
【図２】
0003103096.tif 000004
【図３】
0003103096.tif 000005
【図４】
0003103096.tif 000006
【図５】
0003103096.tif 000007
【図６】
0003103096.tif 000008
【図７】
0003103096.tif 000009
【図８】
0003103096.tif 000010
【図９】
0003103096.tif 000011
【図１０】
0003103096.tif 000012
【図１１】
0003103096.tif 000013